(57)【要約】      （修正有）【課題】容易に抽斗を構成するスライドレールを什器等に設置するとともに、スライドレールにストッパを設けて抽斗をロックすることを可能としたスライドレールユニットを提供する。【解決手段】第一メンバ１００と、第二メンバ２００と、中間メンバ３００と、ボールリテーナと、第一メンバを固定するとともに第二メンバの伸長の制御を行うプレート５００と、からなり、第二メンバは、引出側端部に揺動自在に軸着される引出制御部２１０を装備するとともに、引出制御部は、プレート方向に延伸する掛合バー２１２を装備し、プレートは、掛合バーを掛止する掛止部５１０を装備し、掛止部は、スロープ５１２とスロープの端縁に削設される掛止凹部５１４と、からなり、第二メンバは、引込動作時に掛合バーがスロープに沿って移動するとともに引出制御部が上方向へ軸回転移動し、引込完了時に掛合バーが掛止凹部に嵌合して第二メンバをロックする。【選択図】図１
2020062128.tif 000002
【特許請求の範囲】
【請求項１】
第一メンバ(100)と、第二メンバ(200)と、前記第一メンバおよび第二メンバの間に設置され各メンバを前後動自在に接続する中間メンバ(300)と、前記第一メンバと前記中間メンバの間および前記第二メンバと前記中間メンバの間に介在する複数からなるボール(410)と、該ボールを回転自在に保持するための前記第一メンバと前記中間メンバの間および前記第二メンバと前記中間メンバの間に各々設置されるボールリテーナ(400)と、前記第一メンバを固定するとともに第二メンバの伸長の制御を行うプレート(500)と、からなるスライドレールユニット(1)において、
スライドレールの引込時に前記第二メンバをロックして引出しを防止するため、前記第二メンバ(200)は、引出側端部に上下に揺動自在に軸着される引出制御部(210)を装備するとともに、該引出制御部は、前記プレート方向に延伸する掛合バー(212)を装備しており、
前記プレート(500)は、引出側端部に前記掛合バー(212)を掛止する掛止部(510)を装備しており、該掛止部(510)は、スライドレールの引出および引込方向と平行に削設される凹状であって、前記プレート(500)の引出側の最端部に設けられる前記掛合バーと傾斜面接合するスロープ(512)と、該スロープの端縁に削設される掛止凹部(514)と、からなり、
前記第二メンバ(200)は、引込動作時に、前記掛止部(510)の前記掛合バー(212)が前記スロープ(512)に接合して該スロープに沿って引込方向へ移動するとともに、前記引出制御部(210)が上方向へ軸回転移動し、第二メンバ(200)の引込完了時には、前記引出制御部(210)が下方向へ軸回転移動することにより前記掛合バー(212)が掛止凹部(514)に嵌合して前記第二メンバ(200)をロックして引出しを防止することを特徴とするスライドレールユニット。
【請求項２】
前記プレート(500)は、スライドレールの引込側端部に、什器、壁面、または柱体に係止するための係止部(520)を設けたことを特徴とする請求項１記載のスライドレールユニット。
【請求項３】
前記スライドレールユニットは、左右対称な一対のスライドレールユニットが抽斗を挟んで固定した状態で、前記係止部(520)によって什器、壁面、または柱体に係止することを特徴とする請求項２記載のスライドレールユニット。
【請求項４】
第一メンバ(100)と、第二メンバ(200)と、前記第一メンバおよび第二メンバの間に設置され各メンバを前後動自在に接続する中間メンバ(300)と、前記第一メンバと前記中間メンバの間および前記第二メンバと前記中間メンバの間に介在する複数からなるボール(410)と、該ボールを回転自在に保持するための前記第一メンバと前記中間メンバの間および前記第二メンバと前記中間メンバの間に各々設置されるボールリテーナ(400)と、からなるスライドレール本体(10)と、第二メンバの伸長の制御を行うための前記スライドレール本体外に設置される掛止部材(600)と、からなるスライドレールユニット(1)において、
スライドレールの引込時に前記第二メンバをロックして引出しを防止するため、前記第二メンバ(200)は、引出側端部に上下に揺動自在に軸着される引出制御部(210)を装備するとともに、該引出制御部は、前記プレート方向に延伸する掛合バー(212)を装備しており、
前記掛止部材(600)は、引出側端部に前記掛合バー(212)を掛止する部材であって、前記スライドレール本体が設置される対象物のスライドレールの延伸先側に開口(610)を向けて設置されるコ字型部材であり、前記コ字型の開口側の最端部に設けられる前記掛合バーと傾斜面接合するスロープ(620)と、該スロープの端縁に削設される掛止凹部(630)と、からなり、
前記第二メンバ(200)は、引込動作時に、前記掛止部材(600)の前記掛合バー(212)が前記スロープ(620)に接合して該スロープに沿って引込方向へ移動するとともに、前記引出制御部(210)が上方向へ軸回転移動し、第二メンバ(200)の引込完了時には、前記引出制御部(210)が下方向へ軸回転移動することにより前記掛合バー(212)が掛止凹部(630)に嵌合して前記第二メンバ(200)をロックして引出しを防止することを特徴とするスライドレールユニット。
【請求項５】
前記スライドレールユニットは、左右対称な一対のスライドレールユニットが抽斗を挟んで固定した状態で、前記対象物に係止することを特徴とする請求項５記載のスライドレールユニット。
【発明の詳細な説明】
【技術分野】
【０００１】
本発明は、スライドレールを什器等に設置するためのユニットであって、特に、所望する形状に組み立てられる什器、各種フレーム、柱、壁などの任意の対象物に抽斗を設置する際に、ユニットに組み込まれたプレートを設置することにより、容易に抽斗を構成するスライドレールを設置することが可能となるとともに、該スライドレールにストッパを設けて抽斗をロックすることを可能としたスライドレールユニットに関する。
【背景技術】
【０００２】
従来より、電子機器や家具等に設置される引き戸や、キャビネット等の収納体を摺動引出／引込するための手段として、スライドレールが多数使用されている。スライドレールは、抽斗等を引出し、または引戻して収納する際に生じる摩擦を軽減し、重量のある抽斗であっても容易に引出／引戻移動を可能とする装置である。
【０００３】
スライドレールにはさまざまな種類が存在するが、２段式のスライドレールは、第一メンバの内側に第二メンバが摺動自在に包設されて、引出／引戻移動を行う構造となっており、３段式のスライドレールは、第一メンバと第二メンバの間に中間メンバが摺動自在に設けられて、引出／引戻移動を行う構造となっている。上記何れも、抽斗を引出／引戻移動させることに多く用いられているが、スライドレールは、通常は、抽斗等を用いた什器等に予め装着されている。
【０００４】
スライドレールを用いた技術として、特開２０１７−４７１６６号公報が存在する。ここでは、ラックから簡単に取り外せるスライドレールキットとして、レール部材と、第一ブラケットと、第二ブラケットと、弾性部材と、鈎部とを有するスライドレールキットであって、第二ブラケットはレール部材に可動するように取り付けられるとともに第一接触部を有し、鈎部は第二ブラケットに可動するように連結されるとともに、第二接触部を有する構造であり、鈎部は弾性部材の弾力によりロック位置を保持されるとともに、第一接触部は第二ブラケットの移動により第二接触部を押圧し、鈎部と第二ブラケット２４とのロックが解除されることにより、ブラケットが装着されるラックポストからブラケットを容易に取り外すことが可能となる構造が開示されている。
【０００５】
確かに、この構造によれば、スライドレールキットを設置するラックから取り外し可能となるが、任意のラックやフレーム、柱等に設置することができないという問題点があった。また、仮に設置したとしても、スライドレールの伸縮を制御する構造の装備という観点からは、十分ではないという問題点もあった。更に、構造が複雑で製造にコストがかかるという致命的な問題点があった。
【０００６】
そこで、什器、各種フレーム、柱、壁などの任意の対象物に抽斗を設置して容易に収納部を構成することを可能にするとともに、スライドレールにストッパを設けた構造として抽斗をロックすることを可能とした使い勝手の良いスライドレールユニットを開発することが望まれていた。
【先行技術文献】
【特許文献】
【０００７】
【特許文献１】特開２０１７−４７１６６号公報
【発明の開示】
【発明が解決しようとする課題】
【０００８】
本発明は、上記問題を解決する、抽斗等を構成するスライドレールを什器等に設置するためのユニットに関し、特に、所望する形状に組み立てられる什器、各種フレーム、柱、壁などに抽斗を設置する際に、ユニットを構成するプレートを係合設置することにより、容易に抽斗を構成するスライドレールを什器等に設置することを可能にするとともに、該スライドレールにストッパを設けて抽斗をロックすることを可能としたスライドレールユニットを提供することを目的とする。
【課題を解決するための手段】
【０００９】
上記目的を達成するため本発明に係るスライドレールユニットは、第一メンバと、第二メンバと、前記第一メンバおよび第二メンバの間に設置され各メンバを前後動自在に接続する中間メンバと、前記第一メンバと前記中間メンバの間および前記第二メンバと前記中間メンバの間に介在する複数からなるボールと、該ボールを回転自在に保持するための前記第一メンバと前記中間メンバの間および前記第二メンバと前記中間メンバの間に各々設置されるボールリテーナと、前記第一メンバを固定するとともに第二メンバの伸長の制御を行うプレートと、からなるスライドレールユニットであって、スライドレールの引込時に前記第二メンバをロックして引出しを防止するため、前記第二メンバは、引出側端部に上下に揺動自在に軸着される引出制御部を装備するとともに、該引出制御部は、前記プレート方向に延伸する掛合バーを装備しており、前記プレートは、引出側端部に前記掛合バーを掛止する掛止部を装備しており、該掛止部は、スライドレールの引出および引込方向と平行に削設される凹状であって、前記プレートの引出側の最端部に設けられる前記掛合バーと傾斜面接合するスロープと、該スロープの端縁に削設される掛止凹部と、からなり、前記第二メンバは、引込動作時に、前記掛止部の前記掛合バーが前記スロープに接合して該スロープに沿って引込方向へ移動するとともに、前記引出制御部が上方向へ軸回転移動し、第二メンバの引込完了時には、前記引出制御部が下方向へ軸回転移動することにより前記掛合バーが掛止凹部に嵌合して前記第二メンバをロックして引出しを防止する構成である。
【００１０】
また、前記プレートは、スライドレールの引込側端部に、什器、壁面、または柱体に係止するための係止部を設けた構成である。
また、前記スライドレールユニットは、左右対称な一対のスライドレールユニットが抽斗を挟んで固定した状態で、前記係止部によって什器、壁面、または柱体に係止する構成である。
【００１１】
また、本発明に係るスライドレールユニットは、第一メンバと、第二メンバと、前記第一メンバおよび第二メンバの間に設置され各メンバを前後動自在に接続する中間メンバと、前記第一メンバと前記中間メンバの間および前記第二メンバと前記中間メンバの間に介在する複数からなるボールと、該ボールを回転自在に保持するための前記第一メンバと前記中間メンバの間および前記第二メンバと前記中間メンバの間に各々設置されるボールリテーナと、からなるスライドレール本体と、第二メンバの伸長の制御を行うための前記スライドレール本体外に設置される掛止部材と、からなるスライドレールユニットであって、スライドレールの引込時に前記第二メンバをロックして引出しを防止するため、前記第二メンバは、引出側端部に上下に揺動自在に軸着される引出制御部を装備するとともに、該引出制御部は、前記プレート方向に延伸する掛合バーを装備しており、前記掛止部材は、引出側端部に前記掛合バーを掛止する部材であって、前記スライドレール本体が設置される対象物のスライドレールの延伸先側に開口を向けて設置されるコ字型部材であり、前記コ字型の開口側の最端部に設けられる前記掛合バーと傾斜面接合するスロープと、該スロープの端縁に削設される掛止凹部と、からなり、前記第二メンバは、引込動作時に、前記掛止部材の前記掛合バーが前記スロープに接合して該スロープに沿って引込方向へ移動するとともに、前記引出制御部が上方向へ軸回転移動し、第二メンバの引込完了時には、前記引出制御部が下方向へ軸回転移動することにより前記掛合バーが掛止凹部に嵌合して前記第二メンバをロックして引出しを防止する構成でもある。
【００１２】
更に、前記スライドレールユニットは、左右対称な一対のスライドレールユニットが抽斗を挟んで固定した状態で、前記対象物に係止する構成である。
【発明の効果】
【００１３】
本発明に係るスライドレールユニットは、上記詳述した通りの構成であるので、以下のような効果がある。
１．第一メンバを固定するプレートを設けたため、所望する形状に組み立てられる什器、各種フレーム、柱、壁などにプレートを設置することのみによりスライドレール有する抽斗を設置することが可能となる。また、プレートに掛合するための掛合バーを設けたため、スライドレールのストッパとなり抽斗をロックして勝手に引き出されないようにすることが可能となる。
２．プレートに係止部を設けたため、什器、各種フレーム、柱、壁などの任意の箇所に容易に係合設置することが可能となる。
【００１４】
３．左右対称な一対のスライドレールユニットを、抽斗を挟んで固定するため、抽斗が安定し、任意の什器、各種フレーム、柱、壁等に安全に設置することが可能となる。
４．掛合バーが接合するための掛止部材をスライドレール本体以外の場所に設置する構成としたため、スライドレールが収縮した後の掛止位置を自由に設定することが可能となり、より利便性が増す。
【００１５】
５．左右対称な一対のスライドレールユニットを、抽斗を挟んで固定するため、抽斗が安定し、任意の什器、各種フレーム、柱、壁等に係止することが可能となる。
【発明を実施するための最良の形態】
【００１６】
以下、本発明に係るスライドレールユニットを図面に示す実施例に基づいて詳細に説明する。
図１は、本発明に係るスライドレールユニット側面図であり、図２は、スライドレールを延伸したスライドレールユニットの側面図である。図３は、抽斗に設置したスライドレールユニットの平面図であり、図４は、抽斗に設置したスライドレールユニットの正面断面図である。図５は、抽斗に設置した延伸した状態のスライドレールユニットの平面図であり、図６は、掛止部材に係合したスライドレールの側面図である。
【００１７】
本発明に係るスライドレールユニット１は、第一メンバ１００と、第二メンバ２００と、中間メンバ３００と、ボール４１０を整列保持するボールリテーナ４００と、プレート５００と、からなり、第一メンバ１００、第二メンバ２００、中間メンバ３００、ボール４１０、ボールリテーナ４００からなるスライドレール本体１０に抽斗等を設置した状態で、所望する形状に組み立てられる什器、各種フレーム、柱、壁などの任意の対象物に設置可能であるとともに、スライドレール本体１０にストッパ（引出制御部２１０）を設けて抽斗等をロックして伸縮を制御することを可能としたスライドレールユニットである。
【００１８】
第一メンバ１００は、所望する形状に組み立てられる什器、各種フレーム、柱、壁などの任意の対象物に設置するプレート５００に固定される部材であり、図１、図２および図４に示すように、摩擦を軽減するためのボール４１０を回転自在に整列保持するボールリテーナ４００を介して、中間メンバ３００に接続される部材である。本実施例では、図４両端に示すような金属製細長板の長手方向両側端を立ち上げて屈曲させることで断面略Ｕ字型に形成しており、横断面の長手方向の両側端を対向するように抱え込むような形状とすることにより、断面略Ｃ字型のボール４１０走行面を形成した構成であるが、この形状に限定されることはない。
【００１９】
第二メンバ２００は、抽斗、可動棚等の可動部材に設置するための部材であり、図１、図２および図４に示すように、ボール４１０を回転自在に整列保持するボールリテーナ４００を介して摺動自在に中間メンバ３００に接続される部材である。本実施例では、第一メンバ１００と同様に、金属製細長板の長手方向両側端を立ち上げて屈曲させることで断面略Ｕ字型に形成しており、横断面の長手方向の両側端を対向するように抱え込むような形状とすることにより、断面略Ｃ字型のボール４１０走行面を形成した構成であるが、この形状に限定されることはない。
【００２０】
中間メンバ３００は、第一メンバ１００および第二メンバ２００の間に設置され、各メンバを前後動自在に接続するもので、スライドレール本体１０のトラベルの長さを延長するための部材であり、第一メンバ１００と第二メンバ２０との間で各メンバを接続するとともに、各メンバを各々反対方向に摺動させてスライドレール本体１０の伸長／退縮を行うための部材である。中間メンバ３００は、本実施例では、図１、図２および図４、図５に示すように、一対の金属製細長板の横断面の長手方向両側端を屈曲して断面略Ｕ字型に形成した上で、背面同士を接続して略Ｈ型に形成するとともに、屈曲した各々両側端の外側面を曲面状に形成してボール４１０の走行面を形成した構成であるが、この形状に限定されることはない。
【００２１】
ボールリテーナ４００は、第一メンバ１００と中間メンバ３００の間、および、第二メンバ２００と中間メンバ３００の間にそれぞれ装着される部材であり、それぞれの間に装着されて左右一対の列を成し、摩擦を軽減するための複数のボール４１０を回転自在に整列保持する部材である。ボールリテーナ４００は、本実施例では、細長薄金属板からなり、図４に示すように、第一メンバ１００と中間メンバ３００の間、および、第二メンバ２００と中間メンバ３００の間にそれぞれ挿入可能に形成されており、細長金属板の長手方向両側端を屈曲して形成した断面略Ｕ字型の両腕部に複数のボール４１０を回転自在に整列保持する構造である。
【００２２】
詳細には、中間メンバ３００は、第一メンバ１００に収納された状態で、内側ボール走行面が第一メンバ１００の外側ボール走行面と対を成すように形成されており、ボール４１０は、ボールリテーナ４００の両腕部によって並列にスライドレール本体１０の摺動方向の数箇所に複数個保持される。同様に、中間メンバ３００は、第二メンバ２００に収納された状態で、内側ボール走行面が第二メンバ２００の外側ボール走行面と対を成すように形成されており、ボール４１０は、ボールリテーナ４００の両腕部によって並列にスライドレール本体１０の摺動方向の数箇所に複数個保持される構成である。
【００２３】
本発明に係るスライドレールユニット１は、プレート５００を装備した構造である。プレート５００は、第一メンバ１００を固定するとともに、第二メンバ２００の伸長の制御を行うための部材である。本実施例では、プレート５００は、図１に示すように、第一メンバ１００に固定設置される板状部材であり、外部の所望する形状に組み立てられる什器、各種フレーム、柱、壁などの任意の対象物に設置するための部材である。本実施例では、プレート５００は、スライドレール本体１０と略同じ長さの方形の板体からなる構成であるが、これに限定されることはなく、用途や設置場所に応じて適宜全体の形状を変更することが可能である。また、材質は、強固である事が望ましいが、特に限定するものではない。
【００２４】
第二メンバ２００は、引出制御部２１０を装備する構成である。引出制御部２１０は、スライドレール本体１０の第二メンバ２００の引込時に、第二メンバ２００をロックして勝手に引出されることを防止するための部材であり、本実施例では、第二メンバ２００の引出側の端部に、上下に揺動自在に軸着される棒状部材からなる。
【００２５】
引出制御部２１０は、第一メンバ１００に接続されたプレート５００の方向に延伸する掛合バー２１２を装備する構成である。掛合バー２１２は、プレート５００に掛止するための部材であり、本実施例では、図１および図３に示すように、引出制御部２１０の長手方向に対して垂直に突設され、プレート５００へ向けて水平に延伸する構成である。
【００２６】
プレート５００は、掛止部５１０を装備した構成である。掛止部５１０は、プレート５００に向けて延伸する引出制御部２１０の掛合バー２１２を掛止するための切欠部であり、本実施例では、図１に示すように、プレート５００の引出側端部に削設される。
【００２７】
掛止部５１０は、本実施例では、スライドレール本体１０の引出および引込方向と平行となるようにプレート５００に削設される凹状であり、図１に示すように、スロープ５１２と、掛止凹部５１４とからなる。スロープ５１２は、スライドレール本体１０が引き戻され、掛合バー２１２が掛止部５１０に到達した際に、掛合バー２１２が斜面に沿って移動するためのスロープであり、プレート５００の引出側の最端部から登り傾斜を付けて設置される。これにより、スライドレール本体１０が引き戻された際に、上下に揺動自在に軸着された引出制御部２１０から突出する掛合バー２１２が、スロープ５１２の傾斜面に接合して、スロープ５１２を上るように沿って移動することとなる。
【００２８】
掛止凹部５１４は、スロープ５１２のスライドレール引込側端縁に削設される凹状部である。本実施例では、図１に示すように、スロープ５１２のスライドレール引込側端縁から下方向へ切削される構成であり、スロープ５１２が鍵状に形成される。
【００２９】
次に、本発明に係るスライドレールユニット１の動作について説明する。スライドレールユニット１の第二メンバ２００は、図２に示すスライドレール本体１０が延伸した状態から、スライドレール本体１０の引込動作を行う時に、引出制御部２１０の掛合バー２１２がスロープ５１２に接合し、該スロープに沿って引込方向へ移動する。このとき、引出制御部２１０は上方向へ軸回転移動することとなる。
【００３０】
その後、第二メンバ２００の引込が完了した時に、図１に示すように、引出制御部２１０が落ちるように下方向へ軸回転移動する。これにより、掛合バー２１２が掛止凹部５１４に嵌合することとなり、第二メンバ２００がロックされ引出しが防止される。すなわち、掛合バー２１２の掛止凹部５１４への嵌合がスライドレールのストッパとなり、抽斗等をロックして勝手に引き出されないようにすることが可能となる。
【００３１】
プレート５００には、図１に示すように、係止部５２０が設置されている。係止部５２０は、プレート５００のスライドレール引込側端部に、什器、壁面、または柱体に係止するために用いる鍵状部である。この構成とすることにより、スライドレールユニット１を、什器、各種フレーム、柱、壁などの任意の箇所に容易に係合設置することが可能となり、所望する場所に抽斗等を容易に設置し、取り外すことが可能となる。
【００３２】
本発明に係るスライドレールユニット１は、図３および図４に示すように、左右対称となる一対のスライドレールユニット１が、抽斗等を挟んで固定した状態で、係止部５２０によって什器、壁面、または柱体に係止する構成である。すなわち、単体で使用することなく一対の向かい合ったスライドレールユニット１を抽斗等に固定して使用することで、抽斗等が安定することとなり、任意の什器、各種フレーム、柱、壁等に安全かつ確実に設置することが可能となる。
【００３３】
本発明に係るスライドレールユニット１の別の実施例として、図５に示すように、プレート５００の掛止部５１０を用いずに、掛止部材６００を用いる構成とすることが可能である。掛止部材６００は、スライドレール本体１０の第二メンバの伸長の制御を行うために設けられる部材であり、本実施例では、スライドレール本体１０の外であって、所望する形状に組み立てられる什器、各種フレーム、柱、壁などの任意の対象物に設置される構成である。
【００３４】
詳述すると、掛止部材６００は、その引出側端部に掛合バー２１２を掛止するための部材であり、開口６１０と、スロープ６２０と、掛止凹部６３０とからなる。開口６１０は、引出制御部２１０の掛合バー２１２が進入するための開口であり、スライドレール本体１０が設置される対象物のスライドレールの延伸先側に向けられる。すなわち、掛止部材６００は開口６１０を有するコ字型部材である。
【００３５】
スロープ６２０は、該コ字型の開口６１０側の最端部に設けられる斜面であり、掛合バー２１２が傾斜面と接合する構成である。スロープ６２０は、スライドレール本体１０が引き戻され、掛合バー２１２が掛止部材６００に到達した際に、掛合バー２１２が斜面に沿って移動するためのスロープであり、掛止部材６００の引出側の最端部から登り傾斜を付けて設置される。これにより、スライドレール本体１０が引き戻された際に、上下に揺動自在に軸着された引出制御部２１０から突出する掛合バー２１２が、スロープ６２０の傾斜面に接合して、スロープ６２０を上るように沿って移動することとなる。
【００３６】
掛止凹部６３０は、スロープ６２０のスライドレール引込側端縁に削設される凹状部材である。本実施例では、図５および図６に示すように、スロープ６２０のスライドレール引込側端縁から下方向へ切削される構成であり、スロープ６２０が鍵状に形成される。
【００３７】
本実施例に係るスライドレールユニット１の動作について説明する。スライドレールユニット１の第二メンバ２００は、スライドレール本体１０が延伸した状態から、スライドレール本体１０の引込動作を行う時に、引出制御部２１０の掛合バー２１２が開口６１０に到達し、スロープ６２０に接合し、該スロープに沿って引込方向へ移動する。このとき、引出制御部２１０は上方向へ軸回転移動することとなる。
【００３８】
その後、第二メンバ２００の引込が完了した時に、図６に示すように、引出制御部２１０が落ちるように下方向へ軸回転移動する。これにより、掛合バー２１２が掛止凹部６３０に嵌合することとなり、第二メンバ２００がロックされ引出しが防止される。すなわち、掛合バー２１２の掛止凹部６３０への嵌合がスライドレールのストッパとなり、抽斗等をロックして勝手に引き出されないようにすることが可能となる。また、スライドレールが収縮した後の掛止位置を自由に設定することが可能となり、より利便性が増すこととなる。
【００３９】
本実施例に係るスライドレールユニット１は、左右対称となる一対のスライドレールユニット１が、抽斗等を挟んで固定した状態で、什器、壁面、または柱体等の対象物に、スライドレール本体１０と掛止部材６００が離れた状態で係止される構成である。すなわち、単体で使用することなく一対の向かい合ったスライドレールユニット１を抽斗等に固定して使用することで、抽斗等が安定することとなり、任意の什器、各種フレーム、柱、壁等に安全かつ確実に設置することが可能となる。
【図面の簡単な説明】
【００４０】
【図１】本発明に係るスライドレールユニット側面図
【図２】スライドレールを延伸したスライドレールユニットの側面図
【図３】抽斗に設置したスライドレールユニットの平面図
【図４】抽斗に設置したスライドレールユニットの正面断面図
【図５】抽斗に設置した延伸した状態のスライドレールユニットの平面図
【図６】掛止部材に係合したスライドレールの側面図
【符号の説明】
【００４１】
１    スライドレールユニット
１０    スライドレール本体
１００    第一メンバ
２００    第二メンバ
２１０    引出制御部
２１２    掛合バー
３００    中間メンバ
４００    ボールリテーナ
４１０    ボール
５００    プレート
５１０    掛止部
５１２    スロープ
５１４    掛止凹部
５２０    係止部
６００    掛止部材
６１０    開口
６２０    スロープ
６３０    掛止凹部
【図１】
2020062128.tif 000003
【図２】
2020062128.tif 000004
【図３】
2020062128.tif 000005
【図４】
2020062128.tif 000006
【図５】
2020062128.tif 000007
【図６】
2020062128.tif 000008